(57)【特許請求の範囲】
【請求項１】
サイズ調節可能な衣服（１０）であって、
２つの外側歯列（１４、１６）を有する、少なくとも１つの外側スライドファスナ（１２）と、
前記外側スライドファスナ（１２）が開状態のときに、２つの前記外側歯列（１４、１６）を互いに離間した状態で相互に結合し、かつ前記外側スライドファスナ（１２）が閉状態のときに、前記外側スライドファスナ（１２）によって少なくとも部分的に覆われる外側材料（１８）と、
２つの内側歯列（２２、２４）を有する内側スライドファスナ（２０）と、
前記内側スライドファスナ（２０）の開状態のときに、前記内側歯列（２２、２４）を互いに離間した状態で相互に結合し、かつ前記内側スライドファスナ（２０）が閉状態のときに前記内側スライドファスナ（２０）により少なくとも部分的に覆われる材料（２６）とを含み、
前記内側スライドファスナ（２０）は、前記外側スライドファスナ（１２）が閉状態のときに前記外側スライドファスナ（１２）により少なくとも部分的に覆われ、かつ前記外側スライドファスナ（１２）が開状態のときに露出し、
前記サイズ調節可能な衣服（１０）は、それぞれ対応する２つの歯列を有する２つ以上のスライドファスナを含み、前記２つ以上のスライドファスナには、前記外側スライドファスナ（１２）及び前記内側スライドファスナ（２０）が含まれ、前記２つ以上のスライドファスナの各々は、開状態のときに、前記対応する２つの歯列は互いに完全に離間し、
前記外側スライドファスナ（１２）の閉状態において、前記衣服（１０）は第１サイズを有し、
前記外側スライドファスナ（１２）の開状態で、かつ前記内側スライドファスナ（２０）の閉状態において、前記衣服（１０）は、前記第１サイズより大きい第２サイズを有し、前記外側スライドファスナ（１２）の開状態で、かつ前記内側スライドファスナ（２０）の開状態において、前記衣服（１０）は、前記第２サイズより大きい第３サイズを有することを特徴とする衣服。
【請求項２】
請求項１に記載の衣服（１０）であって、
前記外側スライドファスナ（１２）が開状態であり、かつ前記内側スライドファスナ（２０）が開状態であるときに、前記外側スライドファスナ（１２）の前記外側歯列（１４、１６）の少なくとも１つは、前記内側スライドファスナ（２０）の前記内側歯列（２２、２４）の少なくとも１つと、１つのスライドファスナを構成するように連結し、それによって前記衣服が、前記第２サイズより大きく、前記第３サイズより小さいサイズを有し得ることを特徴とする衣服。
【請求項３】
請求項１または２に記載の衣服（１０）であって、
前記内側スライドファスナの２つの前記内側歯列の間に、それぞれ対応する２つの更なる内側歯列を有する１以上の更なる内側スライドファスナが設けられ、
２以上の前記更なる内側スライドファスナが設けられる場合、隣接する２つの更なる内側スライドファスナの一方の前記対応する２つの更なる歯列は、他方の２つの前記対応する２つの更なる歯列の間に、それらに隣接して配置されることを特徴とする衣服。
【請求項４】
請求項１に記載の衣服（１０）であって、
前記内側スライドファスナ（２０）が閉状態のときに前記内側スライドファスナ（２０）によって少なくとも部分的に覆われ、前記内側スライドファスナ（２０）が開状態のときに露出する、２つの前記内側歯列（２２、２４）の間に配置された１つ以上の独立した歯列を更に含み、
前記１つ以上の独立した歯列は、前記外側スライドファスナ（１２）及び／または前記内側スライドファスナの少なくとも１つの歯列と連結して、前記衣服が、前記第１サイズより大きく、前記第３サイズより小さいが、前記第２サイズとは異なる中間サイズを有することを特徴とする衣服。
【請求項５】
請求項１〜４のいずれか１項に記載の衣服（１０）であって、
少なくとも前記外側スライドファスナ（１２）及び前記内側スライドファスナ（２０）を含むスライドファスナ組立体が複数個形成され、かつ複数の前記スライドファスナ組立体は、前記衣服（１０）の複数の位置に提供されることを特徴とする衣服。
【請求項６】
請求項５に記載の衣服（１０）であって、
複数の前記スライドファスナ組立体を含み、
前記複数のスライドファスナ組立体は、前記それぞれ対応する２つの歯列を有する２つ以上のスライドファスナが全て同一であるスライドファスナ組立体からなることを特徴とする衣服。
【請求項７】
請求項５に記載の衣服（１０）であって、
複数の前記スライドファスナ組立体を含み、
前記複数のスライドファスナ組立体は、前記それぞれ対応する２つの歯列を有する２つ以上のスライドファスナが少なくとも部分的に異なるスライドファスナ組立体を含むことを特徴とする衣服。
【請求項８】
サイズ調節可能な衣服（１０）に組み入れられるスライドファスナ組立体であって、
２つの外側歯列（１４、１６）を有する、少なくとも１つの外側スライドファスナ（１２）と、
前記外側スライドファスナ（１２）が開状態のときに、２つの前記外側歯列（１４、１６）を互いに離間した状態で相互に結合し、かつ前記外側スライドファスナ（１２）が閉状態のときに、前記外側スライドファスナ（１２）によって少なくとも部分的に覆われる外側材料（１８）と、
２つの内側歯列（２２、２４）を有する内側スライドファスナ（２０）と、
前記内側スライドファスナ（２０）の開状態のときに、前記内側歯列（２２、２４）を互いに離間した状態で相互に結合し、かつ前記内側スライドファスナ（２０）が閉状態のときに前記内側スライドファスナ（２０）により少なくとも部分的に覆われる材料（２６）とを含み、
前記内側スライドファスナ（２０）は、前記外側スライドファスナ（１２）が閉状態のときに前記外側スライドファスナ（１２）により少なくとも部分的に覆われ、かつ前記外側スライドファスナ（１２）が開状態のときに露出し、
前記サイズ調節可能な衣服（１０）は、それぞれ対応する２つの歯列を有する２つ以上のスライドファスナを含み、前記２つ以上のスライドファスナには、前記外側スライドファスナ（１２）及び前記内側スライドファスナ（２０）が含まれ、前記２つ以上のスライドファスナの各々は、開状態のときに、前記対応する２つの歯列は互いに完全に離間し、
前記外側スライドファスナ（１２）の閉状態において、前記衣服（１０）は第１サイズを有し、
前記外側スライドファスナ（１２）の開状態で、かつ前記内側スライドファスナ（２０）の閉状態において、前記衣服（１０）は、前記第１サイズより大きい第２サイズを有し、
前記外側スライドファスナ（１２）の開状態で、かつ前記内側スライドファスナ（２０）の開状態において、前記衣服（１０）は、前記第２サイズより大きい第３サイズを有することを特徴とするスライドファスナ組立体。
【発明の詳細な説明】
【技術分野】
【０００１】
本発明は、衣服、特にサイズ調節可能な保護ベストに関連し、２つの歯列を有する少なくとも１つの外側スライドファスナが提供され、外側スライドファスナが閉状態のときに衣服は第１サイズを有し、外側スライドファスナが開状態のときに衣服は第２サイズを有し、第１サイズは第２サイズより小さく、外側スライドファスナが開状態のとき、外側スライドファスナが閉状態のときに外側スライドファスナにより少なくとも部分的に覆われる材料によって、歯列は、互いに離間した状態で共に保持される。
【０００２】
本発明は更に、スライドファスナ配置に関する。
【背景技術】
【０００３】
サイズ調節可能な衣服は、多数の変形例で知られている。この変形例は、保護ベストにも適用される。「保護ベスト」という用語は、本明細書において、最も一般的な意味で理解されたい。保護ベストのいくつかの例を挙げると、警告ベスト、安全ベスト、作業ベストなどが含まれる。現在知られている保護ベストのサイズ調節性は、例えば、異なる位置に固定可能な面ファスナによって提供される。このような保護ベストは実現可能な解決策であるが、製造においては比較的複雑である。更に、面ファスナを調節することは困難、または煩わしいことがある。また、面ファスナは、不利な条件下で、時間の経過とともに機能を失う傾向がある。
【０００４】
更に、特許文献１〜特許文献５は、１つのスライドファスナを構成するような方法でサイズ調節可能な衣服を説明している。
【先行技術文献】
【特許文献】
【０００５】
【特許文献１】独国特許出願公開第１０２００４０３１６５４号明細書
【特許文献２】独国実用新案出願公開第２９８０２７５８号明細書
【特許文献３】独国特許出願公開第１０２４９１９６号明細書
【特許文献４】米国特許出願公開第２００８／００８６７９４号明細書
【特許文献５】中国実用新案広告第２０５１０６４３９号明細書
【発明の概要】
【発明が解決しようとする課題】
【０００６】
本発明は、製造が容易であり、様々なサイズ調節に容易に変換されることができ、サイズ適応のための手段の領域が、全く、またはほとんど摩耗を示さない、サイズ調節可能な衣服を提供することを目的としている。
【０００７】
前記目的は、独立請求項の特徴によって解決される。
【０００８】
本発明の有利な実施形態は、従属請求項に記載されている。
【課題を解決するための手段】
【０００９】
本発明は、サイズ調節可能な一般的な衣服に基づいており、外側スライドファスナが閉状態のときに外側スライドファスナによって少なくとも部分的に覆われ、かつ外側スライドファスナが開状態のときに露出する２つの歯列を有する外側スライドファスナが提供され、衣服は、内側スライドファスナが閉状態のときに第２サイズを有し、かつ内側スライドファスナが開状態のときに第３サイズを有し、第２サイズは第３サイズより小さく、内側スライドファスナの歯列は、内側スライドファスナが開状態のとき、内側スライドファスナが閉状態のときに内側スライドファスナにより少なくとも部分的に覆われる材料によって、互いに離間した状態で共に保持される。ここで、サイズの調節可能性はまた、複数のスライドファスナによって提供される。スライドファスナを有する衣服の製造は、容易かつ低コストである。更に、適切な品質のスライドファスナは、非常に長い耐用年数を有する。本発明に基づいて、衣服のサイズを容易に調節することができる。行う必要があるのはスライドファスナを開くことだけであり、すぐにより大きい衣服を利用できる。それ以外の方法では、行う必要があるのは、スライドファスナを閉じることにより衣服をより小さくすることだけである。特に、保護ベストは異なる体積を有する他の衣服の上に着用されるため、保護ベストに関しては、サイズの簡単な調節性は特に有利である。夏には、保護ベストはシャツの上にしか着用されず、小さなサイズの保護ベストで十分であるが、冬には、例えば、ボリュームのあるダウンジャケットの上に保護ベストを着用する必要があり得る。同一の保護ベストのサイズが異なるため、同じ着用者が異なる衣服を着ることが許容されるという利点とは別に、同一の保護ベストが、異なる衣服サイズを有する人々のために使用され得るという利点もある。この利点は製造プロセスを合理化し、保管及び流通を大幅に促進する。例えば、本発明による衣服は、例として競技用の識別ベスト、すなわち番号付きのベストであってもよい。複数のスライドファスナが重ね合わさっていること、すなわち外側スライドファスナ及び内側スライドファスナが特に有利である。第１サイズ（最小サイズ）から第２サイズへの移行のために外側スライドファスナを開いた後、内側スライドファスナを開くことによって第３サイズ（第２サイズより大きい）への移行も可能である。したがって、利用可能であるのは衣服の２つの異なるサイズだけではない。「覆われた」という用語は、厳密な幾何学的意味では定義されていないため、例えば、スライドファスナは、任意の突起の歯列によって重ねられていなければならない。意味するのは、歯列が何にでも覆われているということである。これは、本開示のすべての実施形態に適用される。
【００１０】
更に、外側スライドファスナが開状態であって、かつ内側スライドファスナが開状態のときに、外側スライドファスナの少なくとも１つの歯列が、内側スライドファスナの少なくとも１つの歯列に、１つのスライドファスナを構成するように連結されることが考えられる。外側スライドファスナの１つの歯列を内側スライドファスナの他の歯列に連結することによって、中間サイズである別のサイズを利用可能にすることができる。
【００１１】
本発明は、２つの歯列を有する別の内側スライドファスナが提供されている点、または２つの歯列を有する複数の更なる内側スライドファスナが提供されている点で更に発展することができ、それぞれ隣接する内側スライドファスナは、外側スライドファスナと外側スライドファスナのすぐ後に続く内側スライドファスナとのように、相互に関連する。したがって、例えば、１つの外側スライドファスナ及び１つの内側スライドファスナが存在し、外側スライドファスナが閉じた状態での最小サイズは別として、外側スライドファスナを開くだけ、及び内側スライドファスナを開くだけで、２つの更なるサイズが調節可能である。スライドファスナの歯列が互いに連結されると、少なくとも１つの衣服の追加サイズを利用可能にすることができる。全体として、複数の重ね合わされたスライドファスナを利用可能にすることができる。より上方に配置されたスライドファスナを開くことによって露出されたばかりの、それぞれの次のスライドファスナを開くことによって、その後、別のサイズの衣服を供給する。個々のスライドファスナの歯列は、中間サイズが提供され得るように、１つのスライドファスナを構成するような方法で、全部または一部が互いに連結可能であり得る。この目的のために、互いに連結することのできる歯列は、「設計上同一」である必要がある。しかし、歯列の全部または一部が設計上同一ではなく、連結することができない異なるスライドファスナを提供することも可能である。
【００１２】
１つ以上の内側スライドファスナの代わりに、１つのスライドファスナを構成するような方法で互いに連結可能である必要のない１つ以上の歯列が提供されるが、これらの歯列は、外側スライドファスナ及び／または内側スライドファスナの少なくとも１つの歯列と、１つのスライドファスナを構成するようにして連結され得ることも考えられる。例えば、１つの外側スライドファスナのみの配置、内側スライドファスナのない配置、及び閉状態における外側スライドファスナによって、完全にまたは部分的に覆われた単一の歯列のみの配置の場合、小さいサイズから大きいサイズへの移行は、外側スライドファスナを開くことによって実現され得る。他のスライドファスナは存在しないため、より大きいサイズを実現することはできない。しかし、内側に提供された歯列は、外側のスライドファスナの歯列の１つと連結することができる。このようにして、中間サイズが生成される。複数の歯列を互いに隣接して提供することにより、複数の中間サイズを提供することができる。
【００１３】
スライドファスナ配置は、スライドファスナ（複数可）及び／または歯列によって提供され、かつスライドファスナ配置は、衣服の複数の位置に提供されることが、更に考えられる。例えば、保護ベストでは、スライドファスナ配置が保護ベストの各側部にそれぞれ置かれることが考えられる。
【００１４】
これに関連して、スライドファスナ配置が少なくとも部分的に、設計上同一であることが有用であり得る。すべてのスライドファスナ配置は、同一の機能を有する。
【００１５】
しかし、スライドファスナ配置が、設計上少なくとも部分的に異なることも有用であり得る。例えば、保護ベストの側部に提供されたスライドファスナ配置では、一方の側部が他方の側部より設計上複雑であってもよい。これは、スライドファスナ配置の設計に制約を課し得る他の機能的特徴をベストが有するときに、特に有用である。
【００１６】
本発明はまた、本発明による衣服の使用に適し、本発明による衣服に関連して定義されたスライドファスナ配置で構成される。
【００１７】
したがって、本発明によれば、１つのスライドファスナを構成するような方法によるサイズ調節の公知の原理が有利に拡大される。これは、内側に配置された１つ以上のスライドファスナによって、もしくは内側に配置された１つ以上の歯列、またはこれらの組み合わせによって達成される。内側の歯列は、スライドファスナの単一の歯列または複数の歯列であり、同一設計の歯列を必要とする他のスライドファスナの歯列と組み合わせることができる。しかし、これは中間サイズの調節が省かれる場合には不要である。
【００１８】
本発明は、添付の図面を参照し、好ましい実施形態に関連した例によって説明される。
【図面の簡単な説明】
【００１９】
【図１】第１状態における、本発明による衣服を示す図である。
【図２】第２状態における、本発明による衣服を示す図である。
【図３】第３状態における、本発明による衣服を示す図である。
【図４】第４状態における、本発明による衣服を示す図である。
【発明を実施するための形態】
【００２０】
図１は、第１状態における本発明による衣服１０を示す。衣服１０はベストである。衣服１０にはスライドファスナ配置が提供され、図１では外側スライドファスナ１２のみが見える。スライドファスナ配置の更なる構成要素は、外側スライドファスナ１２、または外側スライドファスナ１２に隣接する衣服１０の材料によって覆われている。外側スライドファスナ１２は、２つの外側歯列（１４、１６）と、外側端部片２８と、外側スライダ３０とを含む。スライドファスナは、衣服１０のアーム開口部から、衣服１０の下端まで延在している。閉状態では、外側スライダ３０はアーム開口部に位置するが、外側端部片２８は下端部に位置する。同様に、外側スライドファスナ１２を反対方向に適用して、外側端部片２８をアーム開口部に位置させ、外側スライダ３０を衣服の下端部に位置させることも可能である。
【００２１】
外側スライダ３０を外側端部片２８に向けて動かすことにより外側スライドファスナ１２が開かれると、図２に示すイメージが得られる。外側スライドファスナ１２の外側歯列（１４、１６）は互いに離れて配置されているが、外側材料１８によって、互いに離間した状態で接続、または連結されている。本実施例の特殊性は、外側歯列（１４、１６）間の外側材料１８が内側スライドファスナ２０を含み、内側スライドファスナ２０は、２つの内側歯列（２２、２４）と、内側端部片３２と、内側スライダ３４とを含むことである。内側スライドファスナ２０は、外側スライドファスナ１２と同じ方向で衣服１０に縫い付けられる。これは必ず必要なことではない。任意の方向、及び任意の方向の組合せは、本発明の範囲内である。
【００２２】
図１、及び図２に示された衣服の２つの状態を比較すると、衣服１０が２つの状態で異なるサイズを有することが明らかとなり、外側スライドファスナ１２が開かれた図２による状態より、外側スライドファスナ１２が閉じられた図１による状態において、衣服はより小さくなる。
【００２３】
次に、図３は、衣服１０の別の状態を示す。ここでは、内側歯列（２２、２４）を有する内側スライドファスナ２０も開かれている。内側スライドファスナ２０の内側歯列（２２、２４）はまた、内側材料２６によって、互いに離間した状態で連結される。次に図３に示す状態では、図１、及び図２に示す２つのサイズに加え、衣服１０の第３サイズが実現される。
【００２４】
しかし、本発明のスライドファスナ配置を用いて、更なるサイズを実現することも可能である。このことを、図４に関連して説明する。図４に示す状態では、内側スライドファスナ２０の内側歯列２４は、外側スライドファスナの外側歯列１４に連結されている。これにより、図１による衣服１０と、図２による衣服１０との間の中間サイズとなる。同様に、図３に示す状態から、内側スライドファスナ２０の内側歯列２２を、外側スライドファスナ１２の外側歯列１６に連結することも可能である。
【００２５】
図２を用いて、本発明の別の態様を説明することができる。図２は、外側スライドファスナ１２が開かれたときに露出する、完全な内側スライドファスナ２０を示す。しかし同様に、例えば、完全な内側スライドファスナ２０の代わりに単一の歯列のみを提供することも可能であろう。この単一の歯列は、外側スライドファスナ１２の外側歯列（１４、１６）の１つと連結されることにより、中間サイズを実現し得る。
【００２６】
本発明の別の変形を、図３を参照して説明することができる。ここでは、内側スライドファスナの内側歯列（２２、２４）間の内側材料２６は、特定の特殊性を有さないと考えられる。内側材料２６は、単に織物生地であって、残りの衣服１０を完全に、または部分的に含んでいてもよい。しかし、内側材料２６の領域に更に別のスライドファスナを提供し、内側スライドファスナ２０が外側スライドファスナ１２と機能的関係を有するように、更に別のスライドファスナが、内側歯列（２２、２４）を有する内側スライドファスナ２０と機能的関係を有するようにすることも可能である。当然、同様に、内側スライドファスナ２０の内側歯列（２２、２４）間に、単一の歯列のみを、または複数の独立した歯列を提供することも可能である。
【００２７】
このように説明されたスライドファスナ、または歯列の入れ子構成は、所望に応じて継続され、最終的に多数のスライドファスナが共にスライドファスナ配置を形成してもよい。
【００２８】
説明されたスライドファスナ配置は、全体として、繊維構成要素として提供されてもよい。繊維構成要素は、単一のスライドファスナのように衣服に縫い付けられる。
【００２９】
上述の実施形態では、単一のスライドファスナ配置のみが示されている。好ましくは、説明されたスライドファスナ配置と比較して、設計上同一でも異なっていてもよいスライドファスナ配置は、衣服の他方側、すなわち他方のアーム開口部の下側にも存在する。同様に、衣類の下端部と頭部開口部との間、つまり、胸部、及び／または背部領域にスライドファスナ配置を提供することが考えられる。スライドファスナ配置はまたは、２つのアーム開口部の間で水平に延在してもよい。このようにして、衣類の長さを変えることができる。
【００３０】
上述の説明、図面、及び特許請求の範囲に開示された本発明の特徴は、個別の、及び任意の組合せでの本発明の実施のために必須であり得る。
【符号の説明】
【００３１】
１０  衣服
１２  外側スライドファスナ
１４  外側歯列
１６  外側歯列
１８  外側材料
２０  内側スライドファスナ
２２  内側歯列
２４  内側歯列
２６  内側材料
２８  外側端部片
３０  外側スライダ
３２  内側端部片
３４  内側スライダ
【図１】
0006600739.tif 000002
【図２】
0006600739.tif 000003
【図３】
0006600739.tif 000004
【図４】
0006600739.tif 000005